(57)【要約】【課題】交換式内蔵レンズを具えたデジタルカメラの提供。【解決手段】この交換式内蔵レンズを具えたデジタルカメラは、デジタルカメラと内蔵レンズを包含し、該デジタルカメラの正面に、逆錐形開口を有する溝体構造が設けられ、該溝体構造の底部に、ＣＭＯＳ画像センサが設置され、該内蔵レンズは、該デジタルカメラの正面の該溝体構造に取り付けられる。本発明は有限なデジタルカメラの内部空間中の、ＣＭＯＳ画像センサの上方に、交換可能な内蔵レンズを配置することで、大幅にデジタルカメラのビデオ或いは写真撮影の機能を改善し、さらに、使用者の必要により広角、遠距離拡大、近距離ミクロ、光源フィルタレンズの機能を有する光学レンズモジュールを具えた内蔵レンズに交換でき、それにより使用者に異なった特殊な応用の使用目的を達成させる。【選択図】図１
2015158533.tif 000002
【特許請求の範囲】
【請求項１】
交換式内蔵レンズを具えたデジタルカメラにおいて、デジタルカメラと内蔵レンズを包含し、該デジタルカメラの正面に、逆錐形開口を有する溝体構造が設けられ、該溝体構造の底部に、ＣＭＯＳ画像センサが設置され、該ＣＭＯＳ画像センサは配線で該デジタルカメラ内部のコントロールボードに接続され、該内蔵レンズは、該デジタルカメラの正面の該溝体構造に取り付けられ、該内蔵レンズは、大範囲撮影の広角機能を有する光学レンズモジュール、遠距離拡大の望遠機能を有する光学レンズモジュール、近距離拡大のミクロ機能を有する光学レンズモジュール、光源フィルタレンズの機能を有する光学レンズモジュールのいずれかが設置されていることを特徴とする、交換式内蔵レンズを具えたデジタルカメラ。
【請求項２】
請求項１記載の交換式内蔵レンズを具えたデジタルカメラにおいて、該内蔵レンズは、該デジタルカメラの該溝体構造内に、バネを使用して組み合わせられるか、ネジの嵌め合いにより取り付けられるか、係合により組み合わされるか、ロック片で固定されるか或いは粘着樹脂により接合されることを特徴とする、交換式内蔵レンズを具えたデジタルカメラ。
【発明の詳細な説明】
【技術分野】
【０００１】
本発明は一種の、交換式内蔵レンズを具えたデジタルカメラに係り、特に一種の、交換できる内蔵レンズを具えたデジタルカメラの構造に関する。
【背景技術】
【０００２】
現在、デジタルカメラは、デジタルカメラ上でＣＭＯＳに対物レンズが組み合わされ、ＣＭＯＳパネルは面積が携帯電話のＣＭＯＳ撮像モジュールに較べて大きいが、撮影ピクセル干渉が少なく、ノイズが小さく、明晰度が高い長所を有している。ただし、そのデジタルカメラの撮像対物レンズ体積は大きく、ズームができないか、ただ望遠ズームでき、光学システムの制限により、より大きな範囲の視野角たとえば広角、魚眼などの特殊撮影効果を得られず、及び近距離ビュー拡大を行なえない欠点があった。これにより、使用者がもし、大広角或いは超広角（魚眼）の撮影或いは大倍率のミクロ拡大或いは外置フィルタレンズ等の特殊機能の応用場面に遭遇すると、デジタルカメラにもともと備わっているＣＭＯＳと対物レンズの組み合わせは、おのずと対応する必要な撮影の機能を提供できず、使用者は別に体積が比較的大きく且つ重いハイレベルカメラを携行しなければならないか、或いはデジタルカメラ外部に広角或いは魚眼を具えた専用レンズを取り付けなければならず、これは却ってデジタルカメラ体積を大きくし、コストが高くなり、且つ携行と使用のいずれにも非常に不便である。
【発明の概要】
【発明が解決しようとする課題】
【０００３】
本発明は、デジタルカメラのＣＭＯＳ画像センサの設置位置を変更することにより、有限なデジタルカメラの内部空間中の、ＣＭＯＳ画像センサの上方に交換可能な内蔵レンズを配置し、これにより、大幅にデジタルカメラの外部画像キャプチャの撮影機能をアップし、さらに使用者の異なる必要により大範囲撮像の広角機能を有する光学レンズモジュール、遠距離拡大の望遠機能を有する光学レンズモジュール、近距離拡大のミクロ機能を有する光学レンズモジュール或いは光源フィルタのフィルタ機能を有する光学レンズモジュールに交換することで、使用者の特殊応用の使用目的を達成できるようにする。
【課題を解決するための手段】
【０００４】
本発明の交換式内蔵レンズを具えたデジタルカメラは、デジタルカメラと内蔵レンズを包含し、該デジタルカメラの正面に、逆錐形開口を有する溝体構造が設けられ、該溝体構造の底部に、ＣＭＯＳ画像センサが設置され、該内蔵レンズは、該デジタルカメラの正面の該溝体構造に取り付けられる。
【発明の効果】
【０００５】
本発明は有限なデジタルカメラの内部空間中の、ＣＭＯＳ画像センサの上方に、交換可能な内蔵レンズを配置することで、大幅にデジタルカメラのビデオ或いは写真撮影の機能を改善し、さらに、使用者の必要により広角、遠距離拡大、近距離ミクロ、光源フィルタレンズの機能を有する光学レンズモジュールを具えた内蔵レンズに交換でき、それにより使用者に異なった特殊な応用の使用目的を達成させる。
【図面の簡単な説明】
【０００６】
【図１】本発明の分解図である。
【図２】本発明の組み合わせ図である。
【図３】本発明の正面立体図である。
【図４】本発明の断面図（一）である。
【図５】本発明の断面図（二）である。
【発明を実施するための形態】
【０００７】
以下に本発明の技術内容、構造特徴、達成する目的及び作用効果について、以下に例を挙げ並びに図面を組み合わせて詳細に説明する。
【０００８】
図１から図５を参照されたい。本発明の交換式内蔵レンズを具えたデジタルカメラ１は、デジタルカメラ２１と内蔵レンズ２３を包含する。該デジタルカメラ２１の正面に、逆錐形開口を有する溝体構造２４が設けられ、該溝体構造２４の底部に、ＣＭＯＳ画像センサ２２が設置される。該ＣＭＯＳ画像センサ２２は、配線で該デジタルカメラ２１内部のコントロールボードに接続される。該内蔵レンズ２３は、該デジタルカメラ２１正面の該溝体構造２４に嵌め込まれる。
【０００９】
そのうち、該内蔵レンズ２３には、大範囲撮像の広角機能を有する光学レンズモジュール、遠距離拡大の望遠機能を有する光学レンズモジュール、近距離拡大のミクロ機能を有する光学レンズモジュール或いは光源フィルタのフィルタ機能を有する光学レンズモジュールが設置され得る。
【００１０】
該内蔵レンズ２３は、バネを使用して組み合わせるか、ネジの嵌め合いにより取り付けられるか、係合により組み合わされるか、ロック片で固定するか或いは粘着樹脂による接合の接続構造により、該溝体構造２４内に取り付けられ、これにより、該内蔵レンズ２３は、着脱、交換が相当に容易である。
【００１１】
現在のデジタルカメラは、デジタルカメラ上に設置されたＣＭＯＳに対物レンズが組み合わされ、ＣＭＯＳパネルは面積が携帯電話ＣＭＯＳ撮像モジュールより大きいものの、撮影ピクセル干渉が少なく、ノイズが小さく、明晰度が高いなどの長所を有している。ただし、そのデジタルカメラの対物レンズの体積は大きく、ズームができないか、ただ望遠ズームのみ可能であり、光学システムの制限によりより大きな範囲の視野角たとえば広角、魚眼などの特殊撮影効果を得られず、及び近距離ビュー拡大を行なえない欠点があった。これにより、使用者がもし、大広角或いは超広角（魚眼）の撮影或いは大倍率のミクロ拡大或いは外置フィルタレンズ等の特殊機能の応用場面に遭遇すると、デジタルカメラにもともと備わっているＣＭＯＳと対物レンズの組み合わせは、おのずと対応する必要な撮影の機能を提供できず、使用者は別に体積が比較的大きく且つ重いハイレベルカメラを携行しなければならないか、或いはデジタルカメラ外部に広角或いは魚眼を具えた専用レンズを取り付けなければならず、これは却ってデジタルカメラ体積を大きくし、コストが高くなり、且つ携行と使用のいずれにも非常に不便である。
【００１２】
本発明はデジタルカメラ２１の該ＣＭＯＳ画像センサ２２の設置位置を変更して、有限なデジタルカメラ内部空間中の、該ＣＭＯＳ画像センサ２２の上方に、交換可能でハイレベル光学レンズモジュールを具えた該内蔵レンズ２３を配置できるようにし、該内蔵レンズ２３を該デジタルカメラ２１内部の該溝体構造２４に設置して機体外に突出しないようにし、且つ、着脱、交換も十分に容易で簡便であるものとし、並びに、使用者の実際の使用の必要により、広角、遠距離拡大、近距離ミクロ、光源フィルタレンズの機能を有する光学レンズモジュールを具えた内蔵レンズ２３に交換でき、それにより使用者に使用シーンに応じた特殊な応用目的を満足させ、これにより、大幅にデジタルカメラの外部画像キャプチャの撮影機能をアップする。
【００１３】
さらに、該内蔵レンズ２３の体積は小さく、これにより、使用者がもし同時に複数組の異なる機能、倍率の該内蔵レンズ２３を携帯する場合も、相当に軽便で且つ容易に収納でき、該内蔵レンズ２３を該デジタルカメラ２１の正面の該溝体構造２４に取り付けると、該内蔵レンズ２３の上面は、該デジタルカメラ２１の機体部分と同一平面上にあり、これにより、使用者が該デジタルカメラ２１をズボンの正面或いは後面の両側のポケットにいれても、レンズが該デジタルカメラ２１より突出することによる異物感を感じることがない。
【００１４】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【符号の説明】
【００１５】
１  交換式内蔵レンズを具えたデジタルカメラ
２１  デジタルカメラ
２２  ＣＭＯＳ画像センサ
２３  内蔵レンズ
２４  溝体構造
【図１】
2015158533.tif 000003
【図２】
2015158533.tif 000004
【図３】
2015158533.tif 000005
【図４】
2015158533.tif 000006
【図５】
2015158533.tif 000007